(57)【要約】【課題】カメラ付きインターホン子機の回路構成を簡素化し、消費電力を低減する。【解決手段】カメラ付きインターホン子機を構成する撮像回路ブロック１１には、来客を撮像するための光学レンズ１ｇ、固体撮像素子１ａ、固体撮像素子で撮像され出力されたアナログ映像信号Ｓ１ｂをデジタル映像信号Ｓ１ｃに変換するためのＡ／Ｄ変換回路１ｂ、撮像された画素から表示に必要な画素を選択し切出すための撮像信号処理回路１ｃ、切り出された画素データＳ１ｄをデジタル変調信号ｆ１で伝送するための変調回路１ｄ、撮像および伝送のためのタイミング信号発生回路１ｆを備え、モニタ付きインターホン親機を構成する映像表示回路ブロック３１には、デジタル変調信号を復調するための復調回路３ａ、切り出された画素データＳ３１ａを特定の画素配列データＳ３ｂに並べるための表示信号処理回路３ｂ、撮像された映像のホワイトバランス及び色補正を行うための映像信号処理回路３ｃ、来客の映像を確認するための表示ユニット３ｆを備える。【選択図】図２
2004304558.tif 000002
【特許請求の範囲】
【請求項１】
複数のカメラ付きインターホン子機（１、２）及びモニタ付きインターホン親機（３）で構成され、
前記カメラ付きインターホン子機の撮像回路ブロック（１１）には、来客を撮像するための光学レンズ（１ｇ）、ＣＣＤやＣＭＯＳセンサー等で構成される固体撮像素子（１ａ）、前記固体撮像素子で撮像され出力されたアナログ映像信号（Ｓ１ｂ）をデジタル映像信号（Ｓ１ｃ）に変換するためのＡ／Ｄ変換回路（１ｂ）、撮像された画素から表示に必要な画素を選択し切出すための撮像信号処理回路（１ｃ）、切り出された画素データ（Ｓ１ｄ）をデジタル変調信号（ｆ１）で伝送するための変調回路（１ｄ）、前記撮像および前記伝送のためのタイミング信号発生回路（１ｆ）を備え、
前記モニタ付きインターホン親機の映像表示回路ブロック（３１）には、前記デジタル変調信号を復調するための復調回路（３ａ）、切り出された画素データ（Ｓ３１ａ）を特定の画素配列データ（Ｓ３ｂ）に並べるための表示信号処理回路（３ｂ）、撮像された映像のホワイトバランス及び色補正を行うための映像信号処理回路（３ｃ）、前記来客の映像を確認するためのＬＣＤ等で構成される表示ユニット（３ｆ）を備えたことを特徴するテレビドアホンシステム。
【請求項２】
前記モニタ付きインターホン親機には、パンチルト、ズーム等のカメラ制御を行うためのカメラ制御ボタン（３２）と、前記カメラ制御ボタンによるカメラ制御信号（Ｓ３ｈ）を変調する変調回路（３ｈ）とを備え、
前記カメラ付きインターホン子機には、前記カメラ制御信号を復調し、復調されたカメラ制御信号（Ｓ１ｅ）の指示で前記カメラ制御を前記撮像信号処理回路で処理するための復調回路（１ｅ）を備えたことを特徴とする請求項１記載のテレビドアホンシステム。
【請求項３】
前記カメラ付きインターホン子機に内蔵される前記撮像信号処理回路において前記表示ユニットの画素数よりも多い画素を有する前記固体撮像素子の撮像データから原点座標を指定することで前記表示ユニットの矩形表示可能エリアを切り出し、前記原点座標を移動することで前記カメラ制御を実現することを特徴とする請求項２記載のテレビドアホンシステム。
【請求項４】
前記カメラ付きインターホン子機に内蔵される前記撮像信号処理回路において、前記表示ユニットの画素数よりも多い画素を有する前記固体撮像素子の撮像データから、水平又は垂直の画素配列から数個おきに表示する画素をサンプリングすることで前記表示ユニットの矩形表示可能エリアを切り出し、サンプリングする画素の間隔を可変することで前記カメラ制御を実現することを特徴とする請求項２記載のテレビドアホンシステム。
【請求項５】
前記表示信号処理回路は、前記表示ユニットに来客映像以外の文字又はイラスト情報を表示するものであることを特徴とする請求項１記載のテレビドアホンシステム。
【請求項６】
前記表示信号処理回路は、データ化された画素データをデジタル録画、再生するものであることを特徴とする請求項１記載のテレビドアホンシステム。
【請求項７】
前記カメラ付きインターホン子機でデータ化された画素データを有線ＬＡＮ又は無線ＬＡＮを介して前記モニタ付きインターホン親機へパケット伝送することを特徴とする請求項１記載のテレビドアホンシステム。
【発明の詳細な説明】
【０００１】
【発明の属する技術分野】
本発明は、テレビドアホンシステムに係わり、特にカメラ付きインターホン子機の回路を簡素化したテレビドアホンシステムに関する。
【０００２】
【従来の技術】
従来から、この種のテレビドアホンシステムとして、図６に示すような構成のものが知られている（例えば、特許文献１参照）。
【０００３】
同図において、従来のテレビドアホンシステムは、戸外に設置される第１、第２のカメラ付きインターホン子機４、５と、室内に設置されるモニタ付きインターホン親機６とを備えており、モニタ付きインターホン親機６は、第１の伝送路Ｌ１０を介して第１のカメラ付きインターホン子機４に、第２の伝送路Ｌ２０を介して第２のカメラ付きインターホン子機５にそれぞれ接続されている。
第１、第２のカメラ付きインターホン子機４、５は、それぞれ同様の構成とされ、撮像回路ブロック４１、子機マイクロフォン４２、子機スピーカ４３および呼出ボタン４４の各部（回路）を備えている。また、撮像回路ブロック４１は、図７に示すように、光学レンズ４ｆ、固体撮像素子４ａ、Ａ／Ｄ変換回路４ｂ、映像信号処理回路４ｃ、Ｄ／Ａ変換回路４ｄ、ＦＭ変調回路４ｅおよびタイミング信号発生回路４ｇの各部（回路）を備えている。
【０００４】
モニタ付きインターホン親機６は、映像表示回路ブロック６１、カメラ制御ボタン６２、親機マイクロフォン６３、親機スピーカ６４および通話ボタン６５の各部（回路）を備えている。また、映像表示回路ブロック６１は、図７に示すように、ＦＭ復調回路６ａ、同期分離回路６ｂ、Ａ／Ｄ変換回路６ｃ、映像同期回路６ｄ、タイミング信号発生回路６ｅおよび表示ユニット６ｆの各部（回路）を備えている。
【０００５】
このように構成されたテレビドアホンシステムにおいて、例えば第１のカメラ付きインターホン子機４の呼出ボタン４４を押下した来客の画像（以下「来客画像」という。）Ｓ４ａは、固体撮像素子４ａのセンサー画素上に結像される。また、これと共に、タイミング発生回路４ｇより第１、第２の映像同期信号Ｓ４１ｇ、Ｓ４２ｇが出力され、第１の映像同期信号Ｓ４１ｇがＡ／Ｄ変換回路４ｂへ、第２の映像同期信号Ｓ４２ｇがＤ／Ａ変換回路４ｄへそれぞれ入力される。そして、固体撮像素子４ａより出力されたアナログ撮像信号Ｓ４ｂは、固体撮像素子４ａの画素単位に出力されＡ／Ｄ変換回路４ｂでデジタル映像信号Ｓ４ｃに変換されて映像信号処理回路４ｃへ入力され、当該映像信号処理回路４ｃにおいてホワイトバランスや色補正等の信号補正処理されたデジタル映像信号Ｓ４ｄに変換される。映像信号処理回路４ｃより出力されたデジタル映像信号Ｓ４ｄは、Ｄ／Ａ変換回路４ｄで通常のテレビジョン信号Ｓ４ｅに変換されタイミング信号発生回路４ｇより出力された第２の映像同期信号Ｓ４２ｇにあわせてＦＭ変調回路４ｅでＦＭ変調される。ＦＭ変調回路４ｅより出力されたＦＭ変調信号ｆ１０は、第１の伝送路Ｌ１０を介してモニタ付きインターホン親機６へ伝送される。
【０００６】
一方、モニタ付きインターホン親機６へ伝送されたＦＭ変調信号ｆ１０は、ＦＭ復調回路６ａで復調され復調信号Ｓ６ａとして同期分離回路６ｂへ入力される。そして、同期分離回路６ｂで映像同期信号Ｓ６２ｂとアナログ映像信号Ｓ６１ｂに分離され、前者の映像同期信号Ｓ６２ｂは映像同期回路６ｄで同期化されたクロック信号Ｓ６ｄを生成しタイミング信号発生回路６ｅへ入力される。これにより、タイミング信号発生回路６ｅより第１、第２のタイミング信号Ｓ６１ｅ、Ｓ６２ｅが出力され、第１のタイミング信号Ｓ６１ｅがＡ／Ｄ変換回路６ｃへ、第２のタイミング信号Ｓ６２ｅが表示ユニット６ｆへそれぞれ供給される。また、後者のアナログ映像信号Ｓ６１ｂはＡ／Ｄ変換回路６ｃでデジタル映像信号Ｓ６ｃに変換され表示ユニット６ｆへ入力され、これにより、表示ユニット６ｆに来客画像が表示される。
【０００７】
【特許文献１】特開平７−４６５８３号公報  （段落番号「００１１」〜「００２０」、図１〜図６）
【０００８】
【発明が解決しようとする課題】
しかしながら、このような構成のテレビドアホンシステムにおいては、モニタ付きインターホン親機の表示ユニットに１台分のカメラ付きインターホン子機からの来客画像しか表示させることができないにも拘わらず、各カメラ付きインターホン子機にはそれぞれ映像信号処理回路が搭載されているため、カメラ付きインターホン子機の回路構成が煩雑化し、また、映像信号処理回路が高価なため割高にもなっているという難点があった。また、高画素のＣＣＤ等から成る固体撮像素子を使用しても、デジタル映像信号をテレビジョン信号に変換してモニタ付きインターホン親機へ伝送しているため、撮像信号の帯域が制限され、高画素の固体撮像素子の特性を有効に利用することができないという難点があった。
【０００９】
本発明は、このような難点を解決するためになされたもので、カメラ付きインターホン子機の回路構成を簡素化し、コスト的にも割安で、高画素の固体撮像素子の特性を有効に発揮することができるテレビドアホンシステムを提供することを目的としている。
【００１０】
【課題を解決するための手段】
上記の目的を達成するため、本発明のテレビドアホンシステムは、複数のカメラ付きインターホン子機及びモニタ付きインターホン親機で構成され、カメラ付きインターホン子機の撮像回路ブロックには、来客を撮像するための光学レンズ、ＣＣＤやＣＭＯＳセンサー等で構成される固体撮像素子、固体撮像素子で撮像され出力されたアナログ映像信号をデジタル映像信号に変換するためのＡ／Ｄ変換回路、撮像された画素から表示に必要な画素を選択し切出すための撮像信号処理回路、切り出された画素データをデジタル変調信号で伝送するための変調回路、撮像および前記伝送のためのタイミング信号発生回路を備え、モニタ付きインターホン親機の映像表示回路ブロックには、デジタル変調信号を復調するための復調回路、切り出された画素データを特定の画素配列データに並べるための表示信号処理回路、撮像された映像のホワイトバランス及び色補正を行うための映像信号処理回路、来客の映像を確認するためのＬＣＤ等で構成される表示ユニットを備えている。
【００１１】
また、本発明のテレビドアホンシステムにおけるモニタ付きインターホン親機には、パンチルト、ズーム等のカメラ制御を行うためのカメラ制御ボタンと、カメラ制御ボタンによるカメラ制御信号を変調する変調回路とを備え、カメラ付きインターホン子機には、カメラ制御信号を復調し、復調されたカメラ制御信号の指示でカメラ制御を撮像信号処理回路で処理するための復調回路を備えている。
【００１２】
また、本発明のテレビドアホンシステムは、カメラ付きインターホン子機に内蔵される撮像信号処理回路において表示ユニットの画素数よりも多い画素を有する固体撮像素子の撮像データから原点座標を指定することで表示ユニットの矩形表示可能エリアを切り出し、原点座標を移動することでカメラ制御を実現するように構成されている。
【００１３】
また、本発明のテレビドアホンシステムは、カメラ付きインターホン子機に内蔵される撮像信号処理回路において、表示ユニットの画素数よりも多い画素を有する固体撮像素子の撮像データから、水平又は垂直の画素配列から数個おきに表示する画素をサンプリングすることで表示ユニットの矩形表示可能エリアを切り出し、サンプリングする画素の間隔を可変することでカメラ制御を実現するように構成されている。
【００１４】
また、本発明のテレビドアホンシステムにおける表示信号処理回路は、表示ユニットに来客映像以外の文字又はイラスト情報を表示するように構成されている。
【００１５】
また、本発明のテレビドアホンシステムにおける表示信号処理回路は、データ化された画素データをデジタル録画、再生するように構成されている。
【００１６】
また、本発明のテレビドアホンシステムは、カメラ付きインターホン子機でデータ化された画素データを有線ＬＡＮ又は無線ＬＡＮを介してモニタ付きインターホン親機へパケット伝送するように構成されている。
【００１７】
本発明のテレビドアホンシステムによれば、カメラ付きインターホン子機に映像信号処理回路を搭載していないことから、カメラ付きインターホン子機の回路を簡素化することができ、ひいてはカメラ付きインターホン子機を安価に製造することができる。また、映像信号処理回路を搭載していない分だけカメラ付きインターホン子機における消費電力が低減され、ひいては、カメラ付きインターホン子機とモニタ付きインターホン親機間の伝送距離を増大させることができる。さらに、固体撮像素子で撮像された画素から表示ユニットの表示に必要な画素を選択し切出してデジタル信号でモニタ付きインターホン親機へ伝送し、モニタ付きインターホン親機側で映像信号処理を行なうことから、高画素の固体撮像素子の特性を有効に利用することができる。
【００１８】
【発明の実施の形態】
以下、本発明のテレビドアホンシステムの好ましい実施の形態例について、図面を参照して詳述する。ここで、図１は本発明の一実施例におけるテレビドアホンシステムのシステム構成図、図２は本発明の一実施例におけるテレビドアホンシステムのブロック図を示している。
【００１９】
図１において、本発明のテレビドアホンシステムは、戸外に設置される第１、第２のカメラ付きインターホン子機１、２と、室内に設置されるモニタ付きインターホン親機３とを備えており、モニタ付きインターホン親機３は、第１の伝送路Ｌ１を介して第１のカメラ付きインターホン子機１に、第２の伝送路Ｌ２を介して第２のカメラ付きインターホン子機２にそれぞれ接続されている。なお、第１、第２の伝送路Ｌ１、Ｌ２は、それぞれ２線ケーブル等で構成されている。
【００２０】
第１、第２のカメラ付きインターホン子機１、２は、それぞれ同様の構成とされ、撮像回路ブロック１１、子機マイクロフォン１２、子機スピーカ１３および呼出ボタン１４を備えており、また、撮像回路ブロック１１は、図２に示すように、固体撮像素子１ａ、Ａ／Ｄ変換回路１ｂ、撮像信号処理回路１ｃ、変調回路（以下「子機変調回路」という。）１ｄ、復調回路（以下「子機復調回路」という。）１ｅ、タイミング信号発生回路（以下「子機タイミング信号発生回路」という。）１ｆおよび光学レンズ１ｇの各部（回路）を備えている。ここで、固体撮像素子１ａは、光学レンズ１ｇ、Ａ／Ｄ変換回路１ｂおよび子機タイミング信号発生回路１ｆに接続され、子機タイミング信号発生回路１ｆにはＡ／Ｄ変換回路１ｂおよび撮像信号処理回路１ｃが接続されている。また、撮像信号処理回路１ｃは、Ａ／Ｄ変換回路１ｂ、子機変調回路１ｄおよび子機復調回路１ｅに接続され子機変調回路１ｄには第１の伝送路Ｌ１（または第２の伝送路Ｌ２）を構成する一方の伝送路Ｌａ（以下、単に「一方の伝送路Ｌａ」という。）が、子機復調回路１ｅには第１の伝送路Ｌ１（または第２の伝送路Ｌ２）を構成する他方の伝送路Ｌｂ（以下、単に「他方の伝送路Ｌｂ」という。）がそれぞれ接続されている。
【００２１】
モニタ付きインターホン親機３は、映像表示回路ブロック３１、カメラ制御ボタン３２、親機マイクロフォン３３、親機スピーカ３４および通話ボタン３５を備えており、また、映像表示回路ブロック３１は、図２に示すように、復調回路（以下「親機復調回路」という。）３ａ、表示信号処理回路３ｂ、映像信号処理回路３ｃ、映像同期回路３ｄ、タイミング信号発生回路（以下「親機タイミング信号発生回路」という。）３ｅ、表示ユニット３ｆ、ＣＰＵ３ｇおよび変調回路（以下「親機変調回路」という。）３ｈを備えている。ここで、親機復調回路３ａは、表示信号処理回路３ｂ、映像同期回路３ｄおよび一方の伝送路Ｌａに接続され、表示信号処理回路３ｂには映像信号処理回路３ｃおよびＣＰＵ３ｇが、映像同期回路３ｄには親機タイミング信号発生回路３ｅがそれぞれ接続されている。また、親機タイミング信号発生回路３ｅは、映像信号処理回路３ｃおよび表示ユニット３ｆに接続され、映像信号処理回路３ｃには表示ユニット３ｆが接続されている。さらに、ＣＰＵ３ｇは、親機変調回路３ｈおよびカメラ制御ボタン３２に接続され、親機変調回路３ｈには他方の伝送路Ｌｂが接続されている。
【００２２】
次に、このように構成された本発明のテレビドアホンシステムの動作について説明する。なお、来客が第１のカメラ付きインターホン子機１（若しくは第２のカメラ付きインターホン子機２）の呼出ボタン１４を押下し、呼出信号が第１の伝送路Ｌ１（若しくは第２の伝送路Ｌ２）を介してモニタ付きインターホン親機３へ伝送され、呼出信号を検出したモニタ付きインターホン親機３において居住者が通話ボタン３５を押下することにより、第１のカメラ付きインターホン子機１（若しくは第２のカメラ付きインターホン子機２）の有する通話機能（子機マイクロフォン１２および子機スピーカ１３）とモニタ付きインターホン親機３の有する通話機能（親機マイクロフォン３３および親機スピーカ３４）との間に、第１の伝送路Ｌ１（若しくは第２の伝送路Ｌ２）を介して通話路が形成される点は、従来のテレビドアホンシステムと同様であることから詳細な説明を省略し、ここでは、来客の画像を表示ユニットに表示させる動作やパンチルトやズーム等のカメラ制御の動作等を中心にして説明する。
【００２３】
最初に、来客の画像を表示ユニット３ｆに表示させる動作について説明する。
【００２４】
先ず、来客が、例えば第１のカメラ付きインターホン子機１の呼出ボタン１４を押下すると、モニタ付きインターホン親機３から第１のカメラ付きインターホン子機１に対して動作電源が供給され、第１のカメラ付きインターホン子機１の各部（回路）へ電源が供給され、撮像回路ブロック１１が能動となる。これにより来客の画像（以下「来客画像」という。）Ｓ１ａは、光学レンズ１ｇによりＣＣＤやＣＭＯＳセンサー等で構成される固体撮像素子１ａのセンサー画素上に結像される。また、これと共に、子機タイミング発生回路１ｆより第１〜第３の映像同期信号Ｓ１１ｆ、Ｓ１２ｆ、Ｓ１３ｆが出力され、第１の映像同期信号Ｓ１１ｆが固体撮像素子１ａへ、第２の映像同期信号Ｓ１２ｆがＡ／Ｄ変換回路１ｂへ、第３の映像同期信号Ｓ１３ｆが撮像信号処理回路１ｃへそれぞれ入力される。そして、固体撮像素子１ａより出力されたアナログ撮像信号Ｓ１ｂは、固体撮像素子１ａの画素単位に出力されＡ／Ｄ変換回路１ｂでデジタル撮像信号Ｓ１ｃに変換されて撮像信号処理回路１ｃへ入力され、当該撮像信号処理回路１ｃにおいて撮像された画素から表示に必要な画素が選択され切り出される。切り出された画素データＳ１ｄは、子機タイミング発生回路１ｆより出力される第３の映像同期信号Ｓ１３ｆにあわせて子機変調回路１ｄでデジタル変調され、デジタル変調信号ｆ１として一方の伝送路Ｌａを介してモニタ付きインターホン親機３へ伝送される。
【００２５】
一方、モニタ付きインターホン親機３へ伝送されたデジタル変調信号ｆ１は、親機復調回路３ａにおいて映像同期信号Ｓ３２ａと画素データＳ３１ａに復調され、前者の映像同期信号Ｓ３２ａは、映像同期回路３ｄで同期化されたクロック信号Ｓ３ｄが生成され親機タイミング信号発生回路３ｅへ入力される。これにより、親機タイミング信号発生回路３ｅより第１、第２のタイミング信号Ｓ３１ｅ、Ｓ３２ｅが出力され第１のタイミング信号Ｓ３１ｅが映像信号処理回路３ｃへ、第２のタイミング信号Ｓ３２ｅが表示ユニット３ｆへそれぞれ供給される。
【００２６】
また、後者の画素データＳ３１ａは、表示信号処理回路３ｂへ入力され固体撮像素子１ａの画素配列データＳ３ｂに再配列されて、固体撮像素子１ａの出力信号が復元され映像信号処理回路３ｃへ入力される。そして、映像信号処理回路３ｃで撮像された映像のホワイトバランスや色補正されデジタル映像信号Ｓ３ｃとしてＬＣＤ等で構成される表示ユニット３ｆへ入力され、これにより、表示ユニット３ｆに来客の画像が表示される。
【００２７】
次に、パンチルトやズーム等のカメラ制御の動作について説明する。
【００２８】
先ず、居住者がモニタ付きインターホン親機３のカメラ制御ボタン３２を操作すると、カメラ制御ボタン３２からパンチルトやズーム等の操作信号Ｓ３ｇが出力されＣＰＵ３ｇへ入力される。かかる操作信号Ｓ３ｇがＣＰＵ３ｇで認識されるとＣＰＵ３ｇからカメラ制御信号Ｓ３ｈが出力され親機変調回路３ｈへ入力され、当該親機変調回路３ｈにおいて、デジタル変調信号ｆ１と異なる周波数で変調され、変調信号ｆ２として親機変調回路３ｈより他方の伝送路Ｌｂを介してカメラ付きインターホン子機１へ伝送される。
【００２９】
一方、カメラ付きインターホン子機１で受信された変調信号ｆ２は、子機復調回路１ｅで復調され、復調されたカメラ制御信号Ｓ１ｅが撮像信号処理回路１ｃへ入力される。ここで、この実施例では、固体撮像素子１ａとして、その画素数（例えば２４万画素）が表示ユニット３ｆの画素数（例えば９万画素）よりも多いものを使用した場合について説明し、また、固体撮像素子１ａの画素単位として、図３（ａ）に示すように、ある行をＧ（グリーン）、Ｒ（レッド）、次の行をＢ（ブルー）、Ｇとベイヤー配列したものを例にして、また、表示ユニット３ｆの画素単位として、図３（ｂ）に示すように、ある行をＲＧＢとストライプ配列したものを例にして説明する。
【００３０】
図４は、電子パンチルト信号処理の一例を示している。図４（ａ）において、図中左上の座標（０，０）を第１の原点座標（Ｘ０，Ｙ０）とすると、カメラ制御信号Ｓ１ｅにより、固体撮像素子１ａの全撮像データから有効エリアの第１の原点座標（Ｘ０，Ｙ０）が指定され、図４（ｂ）に示すように、矩形表示可能エリアａ１が切り出される。切り出された矩形表示可能エリアａ１は、撮像信号処理回路１ｃより第１の原点座標（Ｘ０，Ｙ０）からのオフセット情報が付加され画素データＳ１ｄとして出力される。また、カメラ制御ボタン３２の操作により、図４（ｃ）に示すように、第１の原点座標（Ｘ０，Ｙ０）を例えば「２コマ」パン方向に、かつ「２コマ」チルト方向に動作させて第１の原点座標（Ｘ０，Ｙ０）を移動し（以下、移動した原点座標を「第２の原点座標（Ｘ１，Ｙ１）」という。）、図４（ｄ）に示すように、第２の原点座標（Ｘ１，Ｙ１）における矩形表示可能エリアａ１が切り出される。切り出された矩形表示可能エリアａ１は、前述と同様に、撮像信号処理回路１ｃより第２の原点座標（Ｘ１，Ｙ１）からのオフセット情報が付加され画素データＳ１ｄとして出力される。
【００３１】
一方、モニタ付きインターホン親機３の表示信号処理回路３ｂでは、入力された画素データＳ３１ａから第１、第２の原点座標（Ｘ０，Ｙ０）、（Ｘ１，Ｙ１）を基準座標（０，０）とする画素配列に再配列され、映像信号処理回路３ｃへＩＴＵ６５６等の基準に適合するデジタル形式の画素配列データＳ３ｂで映像信号処理回路３ｃへ入力され、当該映像信号処理回路３ｃにおいて、通常どおりホワイトバランスや色補正等の処理が行なわれ表示ユニット３ｆにデジタル映像信号Ｓ３ｃとして入力される。これにより、表示ユニット３ｆに、図４（ｂ）または図４（ｄ）に示すように、モニタ付きインターホン親機３のカメラ制御ボタン３２によって指定されたエリアの来客画像が電子パンチルト表示される。
【００３２】
次に、図５に基づいて、撮像信号処理回路１ｃのズーム・ワイド動作を説明する。なお、同図において、図４と共通する部分には同一の符号が付されている。
【００３３】
先ず、カメラ制御信号Ｓ１ｅにより、前述と同様にして、固体撮像素子１ａの全撮像データより有効エリアの第１の原点座標（Ｘ０，Ｙ０）または第２の原点座標（Ｘ１，Ｙ１）が指定される。そして、第１、第２の原点座標（Ｘ０，Ｙ０）、（Ｘ１，Ｙ１）を基準座標（０，０）とした矩形表示可能エリアａ１を指定された倍率にあわせて、ｎサンプリングごとに切り出され、撮像信号処理回路１ｃより第１、第２の原点座標（Ｘ０，Ｙ０）、（Ｘ１，Ｙ１）からのオフセット情報が付加された画素データＳ１ｄとして出力される。
【００３４】
そして、表示信号処理回路３ｂにおいて、入力された画素データＳ３１ａから、前述と同様にして、画素が再配列され、デジタル形式の画素配列データＳ３ｂで映像信号処理回路３ｃへ入力され、当該映像信号処理回路３ｃにおいて信号処理が行なわれ表示ユニット３ｆにデジタル映像信号Ｓ３ｃが入力される。これにより、表示ユニット３ｆに、図５（ｂ）に示すように、カメラ制御ボタン３２によって指定されたエリアの来客画像が電子ズーム表示される。
【００３５】
この場合、図５（ｃ）に示すように、固体撮像素子１ａの撮像データから、水平又は垂直の画素配列から数個おきに表示する画素をサンプリングすることで、表示ユニット３ｆの矩形表示可能エリアａ１を切り出し、これを前述と同様にしてオフセット情報を付加した画素データＳ１ｄとして出力し、表示信号処理回路３ｂにおいて画素を再配列し、さらに映像信号処理回路３ｃにおいて信号処理を行なうことにより、表示ユニット３ｆに、図５（ｄ）に示すように、カメラ制御ボタン３２によって指定されたエリアの来客画像をワイド表示させることができる。
【００３６】
なお、前述の実施例においては、表示信号処理回路３ｂにおいて、切り出された画素データを特定の画素配列データに並べる場合について説明しているが、表示信号処理回路３ｂにおいて、来客映像以外の文字やイラスト情報（例えば宅配の絵柄等）を信号処理して表示ユニット３ｆにこれらの文字やイラスト情報を表示させるようにしてもよく、また、表示信号処理回路３ｂから、データ化された画素データをＣＰＵ３ｇへ伝送し、これをＣＰＵ３ｇに内蔵されたメモリ（不図示）に録画しておき、必要により画素データを再生するようにしてもよい。さらに、カメラ付きインターホン子機でデータ化された画素データは、２線ケーブルで伝送するものに限定されず、例えば有線ＬＡＮや無線ＬＡＮのようなネットワークを介してモニタ付きインターホン親機へパケット伝送しても本発明と同様の効果を奏する。
【００３７】
【発明の効果】
以上の説明から明らかなように、本発明によるテレビドアホンシステムによれば、カメラ付きインターホン子機に映像信号処理回路を搭載していないことから、カメラ付きインターホン子機の回路を簡素化することができ、ひいてはカメラ付きインターホン子機を安価に製造することができる。また、映像信号処理回路を搭載していない分だけカメラ付きインターホン子機における消費電力が低減され、ひいては、カメラ付きインターホン子機とモニタ付きインターホン親機間の伝送距離を増大させることができる。さらに、固体撮像素子で撮像された画素から表示ユニットの表示に必要な画素を選択し切出してデジタル信号でモニタ付きインターホン親機へ伝送し、モニタ付きインターホン親機側で映像信号処理を行なうことから、高画素の固体撮像素子の特性を有効に利用することができる。
【図面の簡単な説明】
【図１】本発明の一実施例におけるテレビドアホンシステムのシステム構成図。
【図２】本発明の一実施例におけるテレビドアホンシステムのブロック図。
【図３】本発明のテレビドアホンシステムにおける固体撮像素子と表示ユニットの画素の一例を示す図。
【図４】本発明のテレビドアホンシステムにおけるパンチルト制御の一例を示す図。
【図５】本発明のテレビドアホンシステムにおけるズーム・ワイド制御の一例を示す図。
【図６】従来のテレビドアホンシステムのシステム構成図。
【図７】従来のテレビドアホンシステムのブロック図。
【符号の説明】
１、２…カメラ付きインターホン子機
３…モニタ付きインターホン親機
１１…撮像回路ブロック
１ａ…固体撮像素子
１ｂ…Ａ／Ｄ変換回路
１ｃ…撮像信号処理回路
１ｄ…変調回路（子機変調回路）
１ｅ…復調回路（子機復調回路）
１ｆ…タイミング信号発生回路
１ｇ…光学レンズ
３１…映像表示回路ブロック
３ａ…復調回路（親機復調回路）
３ｂ…表示信号処理回路
３ｃ…映像信号処理回路
３ｆ…表示ユニット
３ｈ…変調回路（親機変調回路）
３２…カメラ制御ボタン
ｆ１…デジタル変調信号
Ｓ１ｂ…アナログ映像信号
Ｓ１ｃ…デジタル映像信号
Ｓ１ｅ…カメラ制御信号
Ｓ１ｄ…画素データ
Ｓ３１ａ…画素データ
Ｓ３ｂ…画素配列データ
【図１】
2004304558.tif 000003
【図２】
2004304558.tif 000004
【図３】
2004304558.tif 000005
【図４】
2004304558.tif 000006
【図５】
2004304558.tif 000007
【図６】
2004304558.tif 000008
【図７】
2004304558.tif 000009